(57)【要約】【課題】封印装置において、高速性、小型化及び長時間監視を可能とする。【解決手段】封印装置１０は、外部電源Ｅ１、内部電源Ｅ２、検出素子ＳＥ、開封を記憶するＥＥＰＲＯＭを内蔵するマイコンＱ５、筐体の外部からマイコンＱ５のリセットを解除するためのリセットワイヤＲ−Ｗｉｒｅを備えているので、封印装置１０をセットした筐体を閉鎖するまではマイコンＱ５をリセット状態（不感）としておき、閉鎖後にマイコンＱ５のリセットを解除することで作動開始にできる。封印装置１０のセット時に内部電源Ｅ２を空にする必要がなく、小型で電気容量が大きい２次電池を使用できる。装置の小型化と長時間監視を可能とし、ＥＥＰＲＯＭの採用により高速性を確保できる。【選択図】  図１
2005000363.tif 000002
【特許請求の範囲】
【請求項１】
筐体に配備される封印装置であって、
外部電源によって充電される内部電源と、
前記筐体の開封を検出する検出素子と、
該検出素子により前記開封が検出されたことを記憶するＥＥＰＲＯＭを内蔵するマイコンと、
前記外部電源が与えられているときは前記マイコンを連続的に作動させ、前記外部電源が絶たれているときは前記マイコンを間歇的に作動させる作動切替手段と
を備えたことを特徴とする封印装置。
【請求項２】
筐体の内部に配備される封印装置であって、
外部電源によって充電される内部電源と、
前記筐体の開封を検出する検出素子と、
該検出素子により前記開封が検出されたことを記憶するＥＥＰＲＯＭを内蔵するマイコンと、
前記封印装置を内蔵して閉鎖された前記筐体の外部から操作されて前記マイコンのリセットを解除するリセット解除手段
と
を備えたことを特徴とする封印装置。
【発明の詳細な説明】
【０００１】
【発明の属する技術分野】
本発明は、筐体が開放されたことを検出し、記憶し、報知することにより、筐体内の物品の例えば不正改造、盗難、不正コピーなどの早期発見と早期かつ適切な対策を可能とし、ひいてはかかる不正を防止するための封印装置に関する。
【０００２】
【従来の技術】
パチンコ機やパチスロ機では許可されたプログラムのマイコンを搭載した制御基板が封印筐体に収容されているが、高度な技術で開封され、外観が同じ不正マイコンに交換されるという事例がある。このような不正は発見し難いために不正遊技が長期に行われることも少なくない。
【０００３】
パチンコ機やパチスロ機の制御基板に限らず、秘密を守ったりルールを守ったりする目的で筐体を封印することは、広汎に行われている。
本件発明の封印装置に関連する技術は、例えば特開平９−３４３６５号公報、特開平１１−１９０９７２号公報、特開平１１−２０２７６９号公報、特開平１１−２３１７９０号公報、特開平１１−２５８９９７号公報、特開平１１−２８３８９０号公報に開示された技術がある。
【０００４】
【特許文献１】
特開平１１−２８３８９０号公報（段落００５０〜００８８、図３）
【０００５】
【発明が解決しようとする課題】
例えば特許文献１の封印装置では、内部電源及び記憶素子として電気２重層コンデンサを用いることで、外部電源が無い状態でも比較的長時間の監視を可能とし、また耐ノイズ性も高めている。
【０００６】
しかしながら、必須構成部品である内部電源及び記憶素子に電気２重層コンデンサを用いているため、開封された瞬間に記憶素子の電気２重層コンデンサに電荷を充分に移動させるのが困難であった。
このため、電子回路を用いて、内部電源となる電気２重層コンデンサから記憶素子となる電気２重層コンデンサに徐々に（時間をかけて）電荷を移動させる技術を開発し、特許出願した。この技術にあっては、記憶素子に電荷を移動させる時間内に電子回路に不正が行われないようにするため、重要電子回路部分を例えば樹脂モールドして保護する必要があった。
【０００７】
すなわち、不正を働く者が開封後に何らかの手段をとり得るような時間的な余裕を与えない、高速の記憶手段が望まれる。
近年、マイコンの技術進歩は著しく、電気的にデータの書き込み、消去が可能で、電源を断にしてもデータが残るＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）を内蔵したマイコン（例えばＭＩＣＲＯＣＨＩＰ社のＰＩＣ１６Ｆ８７等）も容易に入手できるようになった。ノイズ耐性に問題は残るが、開封時に瞬時に検出し、記憶することが可能となるので、利用を期待できる。
【０００８】
しかし、マイコンの消費電流が大幅に微少になったとはいえ、上例のＰＩＣ１６Ｆ８７で２０μＡ程であり、内部電源のみで４８時間とか１００時間とかの監視を続けるには内部電源の大型化が必要になるという問題、つまり封印装置が大型化するという問題があった。
【０００９】
また、密閉される筐体内に封印装置をセットするにはそれなりの手順が必要となる。封印装置をセットする時、筐体は開放されているから、検出素子は開放を検出している。この時内部電源が空でないなら、開封を検知して記憶してしまう。すなわち、内部電源と検出素子の少なくとも一方は、筐体が密閉された後に作動に入る必要がある。内部電源として電気２重層コンデンサを用いる技術では、密閉後に外部電源を与えることでこの問題を回避しているが、長時間の監視を可能にするには内部電源が上記の通り大型化する問題があるので、小型で大容量の内部電源の使用が求められる。
【００１０】
要約すれば、本発明の課題
（目的）は、（１）筐体が開かれた瞬間に記憶して封印装置に対して不正行為を行う時間を与えないこと、（２）装置の小型化と長時間監視を可能とするために消費電力を低減すること、（３）２次電池のように電気容量が大きい内部電源を利用可能にすることである。
【００１１】
【課題を解決するための手段および発明の効果】
請求項１記載の封印装置は、筐体に配備される封印装置であって、外部電源によって充電される内部電源と、前記筐体の開封を検出する検出素子と、該検出素子により前記開封が検出されたことを記憶するＥＥＰＲＯＭを内蔵するマイコンと、前記外部電源が与えられているときは前記マイコンを連続的に作動させ、前記外部電源が絶たれているときは前記マイコンを間歇的に作動させる作動切替手段とを備えており、ＥＥＰＲＯＭを内蔵するマイコンにて、筐体が開かれた瞬間に記憶するから封印装置に対して不正行為を行う時間を与えず、作動切替手段にて、外部電源が絶たれているときはマイコンを間歇的に作動させるから消費電力を低減して長時間監視が可能になる。
【００１２】
請求項２記載の封印装置は、筐体の内部に配備される封印装置であって、外部電源によって充電される内部電源と、前記筐体の開封を検出する検出素子と、該検出素子により前記開封が検出されたことを記憶するＥＥＰＲＯＭを内蔵するマイコンと、前記封印装置を内蔵して閉鎖された前記筐体の外部から操作されて前記マイコンのリセットを解除するリセット解除手段とを備えているので、封印装置をセットした筐体を閉鎖するまではマイコンをリセット状態（不感）としておき、閉鎖後にリセット解除手段を操作してマイコンのリセットを解除することで作動開始にできる。すなわち、封印装置のセット時に内部電源を空にする必要がなく、電気２重層コンデンサよりも大きな電気容量を有するものの、ショートによって出力電圧を０にすることが禁止されるために使用が難しかった２次電池の使用が可能になる。
【００１３】
また、請求項１の封印装置と同様に、筐体が開かれた瞬間に記憶して不正行為を行う時間を与えないことも、装置の小型化と長時間監視を可能とするために消費電力を低減することも実現できる。
【００１４】
【発明の実施の形態】
次に、本発明の実施の形態を各種の具体例にて説明する。なお、以下の各例では説明を判りやすくするために数値や部品名などを具体的に開示する部分もあるが、あくまでも例示であり、本発明はこれら具体的な数値等に限定されるわけではない。
【００１５】
【実施例】
まず図１にて封印装置の回路構成を説明する。図中Ｅ１で示すのは外部電源であり、同Ｅ２は充電可能な内部電源である。Ｄ１はダイオードであり、内部電源Ｅ２の外部への流出を防止する。パチンコ機の制御基板に適用したとすれば、パチンコ機が稼働中は、制御基板内の外部電源Ｅ１が内部電源Ｅ２を充電する構成である。
【００１６】
内部電源Ｅ２はリチウム２次電池が好適で、国内メーカのＬＶ６２１は公称電圧が３Ｖで公称容量が１．５ｍＡＨでありながら、直径６．８ｍｍ、高さ２．１ｍｍと小型である。１．５ｍＡＨの容量とは、消費電流が１５μＡにおいて１００時間の作動が可能を意味する。また、内部電源Ｅ２は電気２重層コンデンサでもよい。国内メーカのＥＥＣＦ５Ｒ５Ｕ１５５は、使用電圧５Ｖ、静電容量１．５Ｆでありながら、直径２１．５ｍｍ、厚さ８ｍｍと小型である。１．５Ｆとは１．５Ａを１秒流せる容量であるから、１５μＡ×１０５秒の能力であり、１５μＡ×１０５／３．６×１０３時間であり、約４μＡを１００時間流す能力を持つということである。
【００１７】
破線Ａで囲まれた部分は、ゲートＱ１、ゲートＱ２、ゲートＱ３とコンデンサＣ、抵抗Ｒ１、抵抗Ｒ２及びダイオードＤ２で構成される発信器（以下、発信器Ａと記述）であり、その出力は図示するようにオン幅１０ｍｓ、オフ幅９０ｍｓのように非対称である。発信器Ａの構成はより具体化するための例示であり、実施に際してその構成は問わない。
【００１８】
Ｑ４はＣ−ＭＯＳオアゲートであり、電源端子ＶＤＤが内部電源Ｅ２の＋極に、電源端子ＶＳＳは内部電源Ｅ２の−極に、出力ＯＵＴはマイコンＱ５の電源入力端子Ｐ＋に結ばれる。入力の一方は外部電源Ｅ１の＋極へ、他方の入力は発信器Ａの出力に結ばれる。Ｃ−ＭＯＳオアゲートＱ４と発信器Ａとで作動切替手段を構成している。
【００１９】
マイコンＱ５は、電源入力端子Ｐ−が内部電源Ｅ２の−極に結ばれる。マイコンＱ５の入力端子Ｓは検出素子ＳＥの接点ＳＥ２に結ばれ、検出素子ＳＥが閉になれば接点ＳＥ１を介して内部電源Ｅ２の−極に結ばれる。
リセット端子Ｒは、リセットスイッチＲ−ＳＷにより、前記パチンコ機の制御基板の例なら、制御基板が品質検査を受けるため、筐体に入れられない状態で通電されている時は、電源Ｅ１、Ｅ２の−極に結ばれており、リセット状態でマイコンＱ５を不作動にしている。筐体内に密封されて使われるときは、密封された後、筐体の通気孔等を通る紐状のリセットワイヤＲ−Ｗｉｒｅを引っ張ることで、Ｒ−ＳＷをオフにして電源Ｅ１、Ｅ２の−極への結線を解き、リセットを解除してマイコンＱ５を作動状態とする。すなわち、リセット解除手段である。なお、図示はしないが入力端子Ｓ及びリセット端子Ｒはプルアップされている。
【００２０】
マイコンＱ５の出力端子ＯＵＴからはトランジスタＴｒを介し、表示手段ＬＥＤが抵抗Ｒ３で電流制限を受けながら結ばれている。
マイコンＱ５には、ＣＰＵ、動作を決定するプログラムが格納されたＲＯＭ、プログラム実行中にデータの書き込み、読み出しが行われ、電源が断になるとデータが消滅するメモリであるＲＡＭ、電気的にデータを消去及び再書き込みでき電源が断になってもデータが消滅しないメモリであるＥＥＰＲＯＭが含まれている。
【００２１】
さて、図１及び図６を参照して封印装置の動作を説明する。
外部電源が加えられている場合は、Ｃ−ＭＯＳオアゲートＱ４の出力すなわちマイコンＱ５の電源入力端子Ｐ＋は常にアクティブであり、図６のプログラムを連続して走行する。
【００２２】
まず、Ｓ１でＥＥＰＲＯＭに異常記憶があるかいなかが調べられる。ＥＥＰＲＯＭの特定のアドレスの内容は、初期（異常を記憶する前）には００Ｈが書かれており、後述するＳ４で異常を記憶するとは同アドレスに例えばＡＡＨを書き込む。すなわち、Ｓ１はＥＥＰＲＯＭの特定アドレスの内容が００ＨかＡＡＨかを判定する。
【００２３】
Ｓ１：無しなら、Ｓ２でＬＥＤを正常表示する。表示形態は自由であるが、例えば緑色のＬＥＤなら連続点灯が正常表示を意味しやすい。
次に、Ｓ３で検出素子ＳＥがオンか否か（筐体が開かれたか否か）が判定され、閉のまま（Ｓ３：ＮＯ）ならスタートに戻り、上記を繰り返す。一方、開かれた（Ｓ３：ＹＥＳ）なら、Ｓ４へ進みＥＥＰＲＯＭの特定アドレスの内容ＡＡＨの様に書き換える。これが異常記憶であり、この異常記憶はプログラムに従う書き換え（クリア）をしない限り、電源Ｅ１、Ｅ２を共に断にしても消えない。
【００２４】
スタートに戻ると、異常記憶有りと判定されるため、Ｓ５のＬＥＤ異常表示でループを組む。なお、異常表示はＬＥＤが緑色なら消灯又は点滅させるのが判りやすい。
上記の説明は外部電源Ｅ１があるときであり、図１から判るようにＬＥＤ、トランジスタＴｒの回路にも外部電源Ｅ１が与えられているので、ＬＥＤは正常、異常を表示できる。また、外部電源Ｅ１があるときには、図６のフローチャートのプログラムは連続して走行する。
【００２５】
次に、外部電源Ｅ１が絶たれたとする。パチンコ機の制御基板に用いられているなら、夜間とか休日の状態である。
電源は内部電源Ｅ２のみであり、発信器Ａの間歇的な信号がＣ−ＭＯＳオアゲートＱ４の一方の入力に加えられる。なお、他方の入力が外部電源Ｅ１が絶たれていることからロー（以下、Ｌと記述）である。このため、マイコンＱ５の電源入力端子Ｐ＋に結ばれる出力ＯＵＴには発信器Ａと同一波形が出力される。
【００２６】
ここで、Ｃ−ＭＯＳオアゲートＱ４の出力端子ＯＵＴは、出力がハイ（以下、Ｈと記述）のときは電源端子ＶＤＤとの間が低抵抗の状態、すなわち内部電源Ｅ２の電圧が発生する。一方、出力がＬのときは電源端子ＶＳＳとの間が低抵抗の状態、すなわち内部電源Ｅ２の−極の電圧となる。つまり、マイコンＱ５は発信器Ａの出力がＨのときは動くがＬのときは停止して消費電流は生じない。
【００２７】
図６に戻り、ステップＳ１〜Ｓ４に必要な処理時間が１ｍｓだとする（実際には数μｓ〜数十μｓで実行できる。）。発信器Ａの出力Ｈが１０ｍｓ継続するとすれば、その間に１０回ループを走行し、検出素子ＳＥの状態を監視し、出力がＬの時間９０ｍｓは停止している。
【００２８】
発信器Ａの波形は、筐体を開いて不正を行う者が、リセットスイッチＲ−ＳＷをオンさせるとか、マイコンＱ５の電源を断にするとかの、封印装置を不感にさせる行動をなすのに必要な時間で決まる。天才的なスピードを有する者でも０．５秒以内に蓋を開けて上記行動を完了することは不可能であり、０．１秒毎に監視する本例は合理的であると共にさらに休止時間を長くして消費電流を低減できることを示している。
【００２９】
なお、この内部電源Ｅ２で動いている状態中は、Ｓ２、Ｓ５ではマイコンＱ５の信号出力が出ているだけで、ＬＥＤへの電源が無いのでＬＥＤ表示は具現されない。
図６のフローチャートのプログラムでは、筐体が開かれると異常記憶が永久に残る。ところが、封印後２度と開封されないはずのパチンコ機の制御基板ですら、監督機関の検査時には開かれる場合があるし、他の用途でも、開封されてから長時間を経過後なら繰り返し利用して、いたずらに廃棄物を増やさないことが望まれる。
【００３０】
図７は、そうした再利用、繰り返し利用の要求から、例えば４８時間程度の長時間を経過したらＥＥＰＲＯＭの異常記憶を消す（クリアする）方法を示している。Ｓ１〜Ｓ５は図６と同一であり、説明は省略する。
いま、異常記憶があって（Ｓ１：有り）、Ｓ５のループを走行し、Ｓ６ではプログラムがそのブロックに達する度に長時間タイマであるカウンタに加算１をする（減算１でもよい）。次に、Ｓ７では長時間タイマが所定の値になったか否かが判定される。
【００３１】
Ｓ１：有り、Ｓ５、Ｓ６、Ｓ７：ＮＯのループの走行時間が１０μｓとして、長時間タイマの設定が４８時間とすれば、４８×３．６×１０３×１０６μｓ／１０μｓ≒１．７×１０１０回長時間タイマＳ６でカウントされると、Ｓ７はＳ７：ＹＥＳに分岐する。そして、Ｓ８のＥＥＰＲＯＭ異常記憶クリアという、ＥＥＰＲＯＭの特定のアドレスに記憶されているＡＡＨのデータを００Ｈに書き換えるという行為がされ、Ｓ１の判定ではＳ１：無しへ進み、正常な状態へと復帰する。
［回路変形例］
図２に示すのは、図１のマイコンＱ５以外の半導体、すなわちダイオードＤ１、トランジスタＴｒ、ゲートＱ１、ゲートＱ２、ゲートＱ３、Ｃ−ＭＯＳオアゲートＱ４をもマイコンＱ５の中に取り込んで集積回路化した例である。
【００３２】
ここで重要なことは、図１のＤ１、Ｔｒ、Ｑ１、Ｑ２、Ｑ３、Ｑ４等を必ずしも同一部品とする必要はなく、同一機能部分であればよいということである。最近の半導体技術では、製造プロセスに応じた最適な機能部品の作り込みがなされるため、一例としてはダイオードＤ１はアナログスイッチ（ＴＣ４Ｓ６６Ｆ等のゲート機能改良品）に置き換え可能である。他の部品も必ずしもＮＡＮＤであったりトランジスタであったりする必要はなく、図１の回路図と同一機能を持てばよいのである。
［封印装置の構成例１］
図３を用いて封印装置１０の具体的な構成例を説明する。なお、図３（ａ）は分解斜視図、同（ｂ）はプリント基板の裏面側斜視図である。
【００３３】
図中１はプリント基板であり、コネクタ端子ＣＮ−１〜４を集約したコネクタ３を有している。プリント基板１上の保護ケース２によって被覆される領域に、図１に示した各部品ゲートＱ１、ゲートＱ２、ゲートＱ３、ダイオードＤ１、ダイオードＤ２、コンデンサＣ、抵抗Ｒ１、抵抗Ｒ２、Ｃ−ＭＯＳオアゲートＱ４、マイコンＱ５、抵抗Ｒ３、トランジスタＴｒ、内部電源Ｅ２がハンダ付けされている。
【００３４】
検出素子ＳＥはプリント基板１上のパターンＳＥ１にスポット溶接、ハンダ付け等で結合された板バネＳＥ−Ｐｌａｔｅが、プリント基板１上のパターンＳＥ２と接するか否かで構成される。
板バネＳＥ−Ｐｌａｔｅは、外力が無いときは自身の弾性力でＳＥ１とＳＥ２間を閉とし、筐体が閉じられている時は筐体の蓋に固着されたアクチュエータ６の押圧力でＳＥ１とＳＥ２間を開にするように作られている。
【００３５】
リセットスイッチＲ−ＳＷは、プリント基板１上のパターンＲ−ＳＷ１とＲ−ＳＷ２間をリセットワイヤＲ−Ｗｉｒｅの銅線部分をハンダ付けすることで構成されている。パターンＲ−ＳＷ１とＲ−ＳＷ２は銅箔の厚さ３５μｍの基板に対して直径が０．５ｍｍ程の小さなパターンとされる。リセットワイヤＲ−Ｗｉｒｅは単線で直径０．５ｍｍ程の銅線に絶縁被膜を設けた物で、パターンＲ−ＳＷ１とＲ−ＳＷ２間に対応する部分は被膜が取られ、３者間はハンダ付けされ、図示の状態はマイコンＱ５をリセットしてプログラムが走行できない状態にしている。
【００３６】
リセットワイヤＲ−Ｗｉｒｅは、筐体の隙間又は穴を通して筐体の外部に出され、筐体が密封された後、強く引くことでパターンＲ−ＳＷ１、銅線、パターンＲ−ＳＷ２間のハンダ付けを切断し、リセットを解除し、マイコンＱ５のプログラムが走行できるようにする。
【００３７】
なお、図６での説明で述べたように封印装置１０は筐体の開封後０．１秒以内で記憶でき、マイコンＱ５を不感にされる心配が無いので、保護ケース２は省略してもよい。
リセットワイヤＲ−Ｗｉｒｅの銅線でリセットさせてマイコンＱ５を停止可能なことは、封印が開かれる前に不正行為として外部からの金属線でリセットされる可能性を示唆する。しかし、本例ではパターンＲ−ＳＷ１、Ｒ−ＳＷ２が直径０．５ｍｍ程のと小さく、かつ銅箔が３５μｍ程と薄いため、パターンＲ−ＳＷ１、Ｒ−ＳＷ２がプリント基板１から切り離されて無くなるように設計されている。
［封印装置の構成例２］
図４は他の構成例を示し、検出素子ＳＥを封印装置１０と一体化せず、端子ＳＥ１、ＳＥ２を介して筐体内に配置する例である。また、コネクタＣＮを廃止して端子ＣＮ１〜ＣＮ４を直接出すことにより、一層の小型化を可能にしている。
【００３８】
リセットスイッチＲ−ＳＷは、プリント基板１上に設けられた板バネ端子Ｒ−ＳＷ１とＲ−ＳＷ２にリセットワイヤＲ−Ｗｉｒｅの銅線部分を圧接させておき、リセットワイヤＲ−Ｗｉｒｅを引くことでリセットスイッチＲ−ＳＷを解除できるようにされており、図３の事例のようにハンダ付けを引きちぎる必要を無くしている。
【００３９】
但し、板バネ端子Ｒ−ＳＷ１、Ｒ−ＳＷ２は筐体外部からの金属線によるショートでリセットという不正行為に弱いため、端子保護カバー７で保護される。図示の例は、材質がゴムであり、その柔軟性のため、リセットワイヤＲ−Ｗｉｒｅが除去される前はカバーは開いているが、除去後はリセットワイヤＲ−Ｗｉｒｅとの当接が無くなるため、自身の復元力で端子部をカバーして、外部からの金属線での不正を防止する。
［利用形態例］
図５は、利用形態の一例を説明する図であり、筐体２０は筐体蓋部１１と筐体底部１２とからなり、両者がネジ、接着等で結合されて封印されている。筐体蓋部１１、筐体底部１２には貫通穴１１ａ、１２ａが設けられており、その一つを通って、リセットワイヤＲ−Ｗｉｒｅが筐体２０外へ引き出されている。図示の状態はリセットワイヤＲ−Ｗｉｒｅが未だ外されていないため、封印装置１０の内部電源が有るにもかかわらず、マイコンＱ５はリセットされていてプログラムを実行していない。勿論、リセットワイヤＲ−Ｗｉｒｅを引き抜いてマイコンＱ５のリセットを解除すれば、プログラムの実行が始まり開封を監視し続けるのである。
【図面の簡単な説明】
【図１】実施例の封印装置の回路図。
【図２】回路変形例の回路図。
【図３】封印装置の構成例１の説明図。
【図４】封印装置の構成例２の説明図。
【図５】封印装置の利用形態例の説明図。
【図６】封印装置のＣＰＵが実行するプログラムのフローチャート。
【図７】封印装置のＣＰＵが実行するプログラムの変形例のフローチャート。
【符号の説明】
１・・・プリント基板、
１０・・・封印装置、
２０・・・筐体、
Ａ・・・発信器（作動切替手段）、
Ｅ１・・・外部電源、
Ｅ２・・・内部電源、
Ｑ４・・・Ｃ−ＭＯＳオアゲート（作動切替手段）、
Ｑ５・・・マイコン、
Ｒ−ＳＷ・・・リセットスイッチ（リセット解除手段）、
ＳＥ・・・検出素子。
【図１】
2005000363.tif 000003
【図２】
2005000363.tif 000004
【図３】
2005000363.tif 000005
【図４】
2005000363.tif 000006
【図５】
2005000363.tif 000007
【図６】
2005000363.tif 000008
【図７】
2005000363.tif 000009
【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
筐体に配備される封印装置であって、
外部電源によって充電される内部電源と、
前記筐体の開封を検出する検出素子と、
該検出素子により前記開封が検出されたことを記憶するＥＥＰＲＯＭを内蔵するマイコンと、
前記外部電源が与えられているときは前記マイコンを連続的に作動させ、前記外部電源が絶たれているときは前記マイコンを間歇的に作動させる作動切替手段と、
前記封印装置を内蔵して閉鎖された前記筐体の外部から操作されて前記マイコンのリセット端子と前記外部電源及び前記内部電源との導通を断つことで、前記マイコンを不作動なリセット状態から作動状態にさせるリセット解除手段と
を備えたことを特徴とする封印装置。
【請求項２】
請求項１記載の封印装置において、
前記リセット解除手段は、前記筐体の外に引き出された紐状のリセットワイヤを引っ張ることで操作される
ことを特徴とする封印装置。
【手続補正２】
【補正対象書類名】明細書
【補正対象項目名】００１１
【補正方法】変更
【補正の内容】
【００１１】
【課題を解決するための手段および発明の効果】
請求項１記載の封印装置は、筐体に配備される封印装置であって、外部電源によって充電される内部電源と、前記筐体の開封を検出する検出素子と、該検出素子により前記開封が検出されたことを記憶するＥＥＰＲＯＭを内蔵するマイコンと、前記外部電源が与えられているときは前記マイコンを連続的に作動させ、前記外部電源が絶たれているときは前記内部電源からの電力を前記マイコンに間歇的に与えて作動させる作動切替手段と、前記封印装置を内蔵して閉鎖された前記筐体の外部から操作されて前記マイコンのリセット端子と前記外部電源及び前記内部電源との導通を断つことで、前記マイコンを不作動なリセット状態から作動状態にさせるリセット解除手段とを備えており、ＥＥＰＲＯＭを内蔵するマイコンにて、筐体が開かれた瞬間に記憶するから封印装置に対して不正行為を行う時間を与えず、作動切替手段にて、外部電源が絶たれているときはマイコンに間歇的に電力を与えて間歇的に作動させるから消費電力を低減して長時間監視が可能になる。


【手続補正３】
【補正対象書類名】明細書
【補正対象項目名】００１２
【補正方法】変更
【補正の内容】
【００１２】
また、封印装置を内蔵して閉鎖された筐体の外部から操作されてマイコンを不作動なリセット状態から作動状態にさせるリセット解除手段を備えているので、封印装置をセットした筐体を閉鎖するまではマイコンをリセット状態（不感）としておき、閉鎖後にリセット解除手段を操作してマイコンのリセットを解除することで作動開始にできる。すなわち、封印装置のセット時に内部電源を空にする必要がなく、電気２重層コンデンサよりも大きな電気容量を有するものの、ショートによって出力電圧を０にすることが禁止されるために使用が難しかった２次電池の使用が可能になる。


【手続補正４】
【補正対象書類名】明細書
【補正対象項目名】００１３
【補正方法】変更
【補正の内容】
【００１３】
請求項２記載の封印装置は、請求項１記載の封印装置において、前記リセット解除手段は、前記筐体の外に引き出された紐状のリセットワイヤを引っ張ることで操作される構成としたから、リセット解除操作は簡単である。